(57)【要約】【課題】回線制御装置の記憶部が大規模にならないようにする。【解決手段】第１の移動局１により、優先グループ通信要求信号（要求信号）を発信し、回線制御装置３により、第１の基地局２を介して要求信号を受け、この信号をこの信号に含まれるグループＩＤを備える移動局を有する第２の基地局４に出力し、第２の移動局５により、第２の基地局４を介して要求信号を受け、この信号内のグループＩＤが自局のグループＩＤのときに自局が優先グループ通信でない通常の通信中のときにはこの通信中の呼を切断し、自局が通常の通信の予約中のときにはこの予約を解除して、通信可の応答信号を第２の基地局４を介して回線制御装置３に出力し、回線制御装置３により、通信可の応答信号を受け、第１の基地局２を介して第１の移動局１に出力し、第１の移動局１によりこの応答信号を受け、第１の移動局１と第２の移動局５との間で通信を開始する。【選択図】      図１
2005006148.tif 000002
【特許請求の範囲】
【請求項１】
同じグループＩＤを有する移動局同士でグループを作りこのグループ内の通信を優先して行うようにしたグループ通信接続システムにおいて、
自移動局が属するグループのグループＩＤを含み、このグループＩＤで示すグループ内の移動局との通信を優先して行うことを要求する優先グループ通信要求信号を発信しこの発信に対応して通信可の応答信号を受け、この応答信号を発信した移動局と通信する第１の移動局と、
前記第１の移動局を自分のゾーン内に有し、この第１の移動局が発信した前記優先グループ通信要求信号を受けて出力しこの出力に対応して前記通信可の前記応答信号を受け、この応答信号を前記第１の移動局に出力する第１の基地局と、
前記第１の基地局が出力した前記優先グループ通信要求信号を受け、自分のゾーン内に前記優先グループ通信要求信号に含まれる前記グループＩＤを備える移動局を有する第２の基地局に対して前記優先グループ通信要求信号を出力し、この出力に対応して前記通信可の前記応答信号を受け、この応答信号を前記第１の基地局に出力する回線制御装置と、
前記回線制御装置が出力した前記優先グループ通信要求信号を受け、自分のゾーン内に有する移動局にこの優先グループ通信要求信号を出力し、この出力に対応して前記通信可の前記応答信号を受け、この応答信号を前記回線制御装置に出力する前記第２の基地局と、
前記第２の基地局が出力した前記優先グループ通信要求信号を受け、この優先グループ通信要求信号に含まれる前記グループＩＤが自移動局の備えるグループＩＤであるときに、自移動局が優先グループ通信でない通常の通信中のときにはこの通信中の呼を切断し、自移動局が優先グループ通信でない通常の通信の予約中のときにはこの予約を解除して、前記通信可の前記応答信号を前記第２の基地局に出力し、前記第１の移動局と通信する第２の移動局と、
を備えたことを特徴とするグループ通信接続システム。
【請求項２】
前記優先グループ通信要求信号の発信に対応して前記通信可の前記応答信号を受け、受けた後に優先グループ通信を行うチャネルを指定する優先グループ通信チャネル指定信号を受けこの優先グループ通信チャネル指定信号で示すチャネルにより前記応答信号を発信した移動局と通信する前記第１の移動局と、
前記優先グループ通信要求信号の出力に対応して前記通信可の前記応答信号を受けこの応答信号を前記第１の基地局に出力し、出力した後に前記優先グループ通信チャネル指定信号を前記第１の基地局を介して前記第１の移動局に出力するとともに、この優先グループ通信チャネル指定信号を前記第２の基地局を介して前記第２の移動局に出力する前記回線制御装置と、
前記通信可の前記応答信号を前記第２の基地局に出力し、出力した後に前記優先グループ通信チャネル指定信号を前記第２の基地局を介して前記回線制御装置より受けこの優先グループ通信チャネル指定信号で示すチャネルにより前記第１の移動局と通信する前記第２の移動局と、
を備えたことを特徴とする請求項１記載のグループ通信接続システム。
【請求項３】
前記第２の移動局は、
自移動局の属するグループを識別する前記グループＩＤを予め格納する情報記憶部と、
自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部と、
前記第１の移動局より送られた前記優先グループ通信要求信号を受信して出力し、前記通信可の前記応答信号を受けて前記第１の移動局に向けてこの通信可の応答信号を送信する送受信部と、
前記送受信部が出力した前記優先グループ通信要求信号を受けこの信号に含まれる前記グループＩＤが前記情報記憶部に格納されている場合、前記状態記憶部に格納されている前記移動局の状態が優先グループ通信でない通常の通信中を示すときにはこの通信中の呼を切断し、前記移動局の状態が優先グループ通信でない通常の通信の予約中を示すときにはこの予約を解除して、前記通信可の前記応答信号を前記送受信部に出力する制御部と、
を備えたことを特徴とする請求項１記載のグループ通信接続システム。
【請求項４】
前記第２の移動局は、
自移動局の属するグループを識別する前記グループＩＤを予め格納する情報記憶部と、
自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部と、
前記第１の移動局より送られた前記優先グループ通信要求信号を受信して出力し、前記通信可の前記応答信号を受けて前記第１の移動局に向けてこの通信可の応答信号を送信し、送信した後に前記優先グループ通信チャネル指定信号を前記第２の基地局を介して前記回線制御装置より受け、この優先グループ通信チャネル指定信号を前記制御部に出力する送受信部と、
前記送受信部が出力した前記優先グループ通信要求信号を受けこの信号に含まれる前記グループＩＤが前記情報記憶部に格納されている場合、前記状態記憶部に格納されている前記移動局の状態が優先グループ通信でない通常の通信中を示すときにはこの通信中の呼を切断し、前記移動局の状態が優先グループ通信でない通常の通信の予約中を示すときにはこの予約を解除して、前記通信可の前記応答信号を前記送受信部に出力し、出力した後に前記送受信部より前記優先グループ通信チャネル指定信号を受けこの優先グループ通信チャネル指定信号で示すチャネルにより前記第１の移動局との通信を制御すする制御部と、
を備えたことを特徴とする請求項２記載のグループ通信接続システム。
【請求項５】
同じグループＩＤを有する移動局同士でグループを作りこのグループ内の通信を優先して行うようにしたグループ通信接続方法において、
第１の移動局により、この移動局が属するグループのグループＩＤを含み、このグループＩＤで示すグループ内の移動局との通信を優先して行うことを要求する優先グループ通信要求信号を発信する第１のステップと、
第１の基地局により、前記第１の移動局を自分のゾーン内に有し、この第１の移動局が発信した前記優先グループ通信要求信号を受けて出力する第２のステップと、
回線制御装置により、前記第１の基地局が出力した前記優先グループ通信要求信号を受け、自分のゾーン内に前記優先グループ通信要求信号に含まれる前記グループＩＤを備える移動局を有する第２の基地局に対して前記優先グループ通信要求信号を出力する第３のステップと、
前記第２の基地局により、前記回線制御装置が出力した前記優先グループ通信要求信号を受け、自分のゾーン内に有する移動局にこの優先グループ通信要求信号を出力する第４のステップと、
第２の移動局により、前記第２の基地局が出力した前記優先グループ通信要求信号を受け、この優先グループ通信要求信号に含まれる前記グループＩＤが自移動局の備えるグループＩＤであることを確認する第５のステップと、
第２の移動局により、自移動局が優先グループ通信でない通常の通信中のときにはこの通信中の呼を切断し前記通信可の前記応答信号を前記第２の基地局に出力する第６のステップと、
第２の移動局により、自移動局が優先グループ通信でない通常の通信の予約中のときにはこの予約を解除して、前記通信可の前記応答信号を前記第２の基地局に出力する第７のステップと、
前記第２の基地局により、前記第４のステップでの前記優先グループ通信要求信号の出力に対応して前記通信可の前記応答信号を前記第２の移動局より受け、この通信可の前記応答信号を前記回線制御装置に出力する第８のステップと、
前記回線制御装置により、前記第３のステップでの前記優先グループ通信要求信号の出力に対応して前記通信可の前記応答信号を前記第２の基地局より受け、この通信可の前記応答信号を前記第１の基地局に出力する第９のステップと、
前記第１の基地局により、前記第２のステップでの前記優先グループ通信要求信号の出力に対応して前記通信可の前記応答信号を前記回線制御装置より受け、この通信可の前記応答信号を前記第１の移動局に出力する第１０のステップと、
前記第１の移動局により、前記第１のステップでの前記優先グループ通信要求信号の発信に対応して前記通信可の前記応答信号を受ける第１１のステップと、
前記第１の移動局と前記第２の移動局との間で通信を開始する第１２のステップと、
を含むことを特徴とするグループ通信接続方法。
【請求項６】
前記第２の移動局により、前記通信中の呼を切断し前記通信可の前記応答信号を前記第２の基地局に出力した後に、優先グループ通信を行うチャネルを指定する優先グループ通信チャネル指定信号を前記第２の基地局を介して前記回線制御装置より受ける前記第６のステップと、
前記第２の移動局により、前記予約を解除して、前記通信可の前記応答信号を前記第２の基地局に出力した後に、前記優先グループ通信チャネル指定信号を前記第２の基地局を介して前記回線制御装置より受ける前記第７のステップと、
前記回線制御装置により、前記通信可の前記応答信号を前記第１の基地局に出力した後に、前記優先グループ通信チャネル指定信号を前記第１の基地局を介して前記第１の移動局に出力するとともに、この優先グループ通信チャネル指定信号を前記第２の基地局を介して前記第２の移動局に出力する前記第９のステップと、
前記第１の移動局により、前記通信可の前記応答信号を受けた後に、前記優先グループ通信チャネル指定信号を前記第１の基地局を介して前記回線制御装置より受ける前記第１１のステップと、
前記第１の移動局と前記第２の移動局との間で前記優先グループ通信チャネル指定信号で示すチャネルにより通信を開始する前記第１２のステップと、
を含むことを特徴とする請求項５記載のグループ通信接続方法。
【請求項７】
同じグループＩＤを有する移動局同士でグループを作りこのグループ内の通信を優先して行うことを要求する優先グループ通信要求信号を回線制御装置と基地局とを介して他の移動局より受信し、通信可の応答信号を前記基地局と前記回線制御装置とを介して前記他の移動局に送信してこの他の移動局と優先グループ通信を行う移動局であって、
前記移動局の属するグループを識別する前記グループＩＤを予め格納する情報記憶部と、
自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部と、
前記グループＩＤを含む前記優先グループ通信要求信号を前記他の移動局より受信して出力し、前記通信可の前記応答信号を受けて前記他の移動局にこの通信可の応答信号を送信する送受信部と、
前記送受信部が出力した前記優先グループ通信要求信号を受けこの信号に含まれる前記グループＩＤが前記情報記憶部に格納されている場合、前記状態記憶部に格納されている前記移動局の状態が優先グループ通信でない通常の通信中を示すときにはこの通信中の呼を切断し、前記移動局の状態が優先グループ通信でない通常の通信の予約中を示すときにはこの予約を解除して、前記他の移動局と通信が可能であることを示す前記通信可の前記応答信号を前記送受信部に出力する制御部と、
を備えたことを特徴とする移動局。
【請求項８】
前記制御部は、前記状態記憶部に格納されている状態が前記通信中でも前記予約中でもないときに前記通信可の前記応答信号を前記送受信部に出力するようにし前記状態記憶部に格納されている状態が優先グループ通信中であるときに前記優先グループ通信中を示す前記応答信号を前記送受信部に出力するようにし、前記状態記憶部に格納されている状態が優先グループ通信の予約中であるときに前記優先グループ通信の予約中を示す前記応答信号を前記送受信部に出力するようにし、
前記送受信部は、前記制御部より、前記通信可の前記応答信号を受けたときには前記他の移動局にこの通信可の応答信号を送信し、前記優先グループ通信中を示す前記応答信号を受けたときには前記他の移動局にこの優先グループ通信中を示す応答信号を送信し、前記優先グループ通信の予約中を示す前記応答信号を受けたときには前記他の移動局にこの優先グループ通信通信の予約中を示す応答信号を送信するようにしたことを特徴とする請求項７記載の移動局。
【発明の詳細な説明】
【０００１】
【発明の属する技術分野】
本発明はグループ通信接続システム、グループ通信接続方法及び移動局に関し、特に同じグループＩＤを有する移動局同士でグループを作りこのグループ内の通信を優先して行うようにしたグループ通信接続システム、グループ通信接続方法及び移動局に関する。
【０００２】
【従来の技術】
従来、この種のグループ通信接続システムは、例えば特許文献１に開示されているように、複数の移動機と、各移動機との間で無線チャネルを利用してリンクされる基地局と、基地局を制御する制御装置により構成し、制御装置は、無線チャネル状態記憶部と移動機状態記憶部とを備え、移動機の発呼要求時に無線チャネルに空きがない場合は、無線チャネル状態記憶部の移動機識別番号を基に移動機情報記憶部から発呼要求移動機の移動機種別を検索し、この移動機種別が優先移動機である場合には無線チャネル使用中の一般移動機に終話を促し、優先移動機のために無線チャネルを予約するように制御する。
【０００３】
【特許文献１】
特開平１１−５５７１５号公報（請求項３、図１）
【０００４】
【発明が解決しようとする課題】
上述した従来のグループ通信接続システムは、制御装置により、無線チャネル状態記憶部の移動機識別番号を基に移動機情報記憶部から発呼要求移動機の移動機種別を検索し、この移動機種別が優先移動機である場合には無線チャネル使用中の一般移動機に終話を促し、優先移動機のために無線チャネルを予約するように制御するため、制御装置が、移動機識別番号を基に移動機の種別等の管理を行い移動機の制御をしているので、制御装置の記憶部が大きな規模になるという問題がある。
【０００５】
本発明の目的はこのような従来の欠点を除去するため、制御装置が移動機識別番号を基に移動機の種別等の管理を行い移動機の制御をする必要がなく、制御装置の記憶部が大規模にならないグループ通信接続システム、グループ通信接続方法及び移動局を提供することにある。
【０００６】
【課題を解決するための手段】
本発明のグループ通信接続システムは、同じグループＩＤを有する移動局同士でグループを作りこのグループ内の通信を優先して行うようにしたグループ通信接続システムにおいて、
自移動局が属するグループのグループＩＤを含み、このグループＩＤで示すグループ内の移動局との通信を優先して行うことを要求する優先グループ通信要求信号を発信しこの発信に対応して通信可の応答信号を受け、この応答信号を発信した移動局と通信する第１の移動局と、
前記第１の移動局を自分のゾーン内に有し、この第１の移動局が発信した前記優先グループ通信要求信号を受けて出力しこの出力に対応して前記通信可の前記応答信号を受け、この応答信号を前記第１の移動局に出力する第１の基地局と、
前記第１の基地局が出力した前記優先グループ通信要求信号を受け、自分のゾーン内に前記優先グループ通信要求信号に含まれる前記グループＩＤを備える移動局を有する第２の基地局に対して前記優先グループ通信要求信号を出力し、この出力に対応して前記通信可の前記応答信号を受け、この応答信号を前記第１の基地局に出力する回線制御装置と、
前記回線制御装置が出力した前記優先グループ通信要求信号を受け、自分のゾーン内に有する移動局にこの優先グループ通信要求信号を出力し、この出力に対応して前記通信可の前記応答信号を受け、この応答信号を前記回線制御装置に出力する前記第２の基地局と、
前記第２の基地局が出力した前記優先グループ通信要求信号を受け、この優先グループ通信要求信号に含まれる前記グループＩＤが自移動局の備えるグループＩＤであるときに、自移動局が優先グループ通信でない通常の通信中のときにはこの通信中の呼を切断し、自移動局が優先グループ通信でない通常の通信の予約中のときにはこの予約を解除して、前記通信可の前記応答信号を前記第２の基地局に出力し、前記第１の移動局と通信する第２の移動局と、
を備えて構成されている。
【０００７】
また、本発明のグループ通信接続システムは、前記優先グループ通信要求信号の発信に対応して前記通信可の前記応答信号を受け、受けた後に優先グループ通信を行うチャネルを指定する優先グループ通信チャネル指定信号を受けこの優先グループ通信チャネル指定信号で示すチャネルにより前記応答信号を発信した移動局と通信する前記第１の移動局と、
前記優先グループ通信要求信号の出力に対応して前記通信可の前記応答信号を受けこの応答信号を前記第１の基地局に出力し、出力した後に前記優先グループ通信チャネル指定信号を前記第１の基地局を介して前記第１の移動局に出力するとともに、この優先グループ通信チャネル指定信号を前記第２の基地局を介して前記第２の移動局に出力する前記回線制御装置と、
前記通信可の前記応答信号を前記第２の基地局に出力し、出力した後に前記優先グループ通信チャネル指定信号を前記第２の基地局を介して前記回線制御装置より受けこの優先グループ通信チャネル指定信号で示すチャネルにより前記第１の移動局と通信する前記第２の移動局と、
を備えて構成されている。
【０００８】
更に、本発明のグループ通信接続システムの前記第２の移動局は、
自移動局の属するグループを識別する前記グループＩＤを予め格納する情報記憶部と、
自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部と、
前記第１の移動局より送られた前記優先グループ通信要求信号を受信して出力し、前記通信可の前記応答信号を受けて前記第１の移動局に向けてこの通信可の応答信号を送信する送受信部と、
前記送受信部が出力した前記優先グループ通信要求信号を受けこの信号に含まれる前記グループＩＤが前記情報記憶部に格納されている場合、前記状態記憶部に格納されている前記移動局の状態が優先グループ通信でない通常の通信中を示すときにはこの通信中の呼を切断し、前記移動局の状態が優先グループ通信でない通常の通信の予約中を示すときにはこの予約を解除して、前記通信可の前記応答信号を前記送受信部に出力する制御部と、
を備えて構成されている。
【０００９】
また、本発明のグループ通信接続システムの前記第２の移動局は、
自移動局の属するグループを識別する前記グループＩＤを予め格納する情報記憶部と、
自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部と、
前記第１の移動局より送られた前記優先グループ通信要求信号を受信して出力し、前記通信可の前記応答信号を受けて前記第１の移動局に向けてこの通信可の応答信号を送信し、送信した後に前記優先グループ通信チャネル指定信号を前記第２の基地局を介して前記回線制御装置より受け、この優先グループ通信チャネル指定信号を前記制御部に出力する送受信部と、
前記送受信部が出力した前記優先グループ通信要求信号を受けこの信号に含まれる前記グループＩＤが前記情報記憶部に格納されている場合、前記状態記憶部に格納されている前記移動局の状態が優先グループ通信でない通常の通信中を示すときにはこの通信中の呼を切断し、前記移動局の状態が優先グループ通信でない通常の通信の予約中を示すときにはこの予約を解除して、前記通信可の前記応答信号を前記送受信部に出力し、出力した後に前記送受信部より前記優先グループ通信チャネル指定信号を受けこの優先グループ通信チャネル指定信号で示すチャネルにより前記第１の移動局との通信を制御すする制御部と、
を備えて構成されている。
【００１０】
本発明のグループ通信接続方法は、同じグループＩＤを有する移動局同士でグループを作りこのグループ内の通信を優先して行うようにしたグループ通信接続方法において、
第１の移動局により、この移動局が属するグループのグループＩＤを含み、このグループＩＤで示すグループ内の移動局との通信を優先して行うことを要求する優先グループ通信要求信号を発信する第１のステップと、
第１の基地局により、前記第１の移動局を自分のゾーン内に有し、この第１の移動局が発信した前記優先グループ通信要求信号を受けて出力する第２のステップと、
回線制御装置により、前記第１の基地局が出力した前記優先グループ通信要求信号を受け、自分のゾーン内に前記優先グループ通信要求信号に含まれる前記グループＩＤを備える移動局を有する第２の基地局に対して前記優先グループ通信要求信号を出力する第３のステップと、
前記第２の基地局により、前記回線制御装置が出力した前記優先グループ通信要求信号を受け、自分のゾーン内に有する移動局にこの優先グループ通信要求信号を出力する第４のステップと、
第２の移動局により、前記第２の基地局が出力した前記優先グループ通信要求信号を受け、この優先グループ通信要求信号に含まれる前記グループＩＤが自移動局の備えるグループＩＤであることを確認する第５のステップと、
第２の移動局により、自移動局が優先グループ通信でない通常の通信中のときにはこの通信中の呼を切断し前記通信可の前記応答信号を前記第２の基地局に出力する第６のステップと、
第２の移動局により、自移動局が優先グループ通信でない通常の通信の予約中のときにはこの予約を解除して、前記通信可の前記応答信号を前記第２の基地局に出力する第７のステップと、
前記第２の基地局により、前記第４のステップでの前記優先グループ通信要求信号の出力に対応して前記通信可の前記応答信号を前記第２の移動局より受け、この通信可の前記応答信号を前記回線制御装置に出力する第８のステップと、
前記回線制御装置により、前記第３のステップでの前記優先グループ通信要求信号の出力に対応して前記通信可の前記応答信号を前記第２の基地局より受け、この通信可の前記応答信号を前記第１の基地局に出力する第９のステップと、
前記第１の基地局により、前記第２のステップでの前記優先グループ通信要求信号の出力に対応して前記通信可の前記応答信号を前記回線制御装置より受け、この通信可の前記応答信号を前記第１の移動局に出力する第１０のステップと、
前記第１の移動局により、前記第１のステップでの前記優先グループ通信要求信号の発信に対応して前記通信可の前記応答信号を受ける第１１のステップと、
前記第１の移動局と前記第２の移動局との間で通信を開始する第１２のステップと、
を含んで構成されている。
【００１１】
また、本発明のグループ通信接続方法は、前記第２の移動局により、前記通信中の呼を切断し前記通信可の前記応答信号を前記第２の基地局に出力した後に、優先グループ通信を行うチャネルを指定する優先グループ通信チャネル指定信号を前記第２の基地局を介して前記回線制御装置より受ける前記第６のステップと、
前記第２の移動局により、前記予約を解除して、前記通信可の前記応答信号を前記第２の基地局に出力した後に、前記優先グループ通信チャネル指定信号を前記第２の基地局を介して前記回線制御装置より受ける前記第７のステップと、
前記回線制御装置により、前記通信可の前記応答信号を前記第１の基地局に出力した後に、前記優先グループ通信チャネル指定信号を前記第１の基地局を介して前記第１の移動局に出力するとともに、この優先グループ通信チャネル指定信号を前記第２の基地局を介して前記第２の移動局に出力する前記第９のステップと、
前記第１の移動局により、前記通信可の前記応答信号を受けた後に、前記優先グループ通信チャネル指定信号を前記第１の基地局を介して前記回線制御装置より受ける前記第１１のステップと、
前記第１の移動局と前記第２の移動局との間で前記優先グループ通信チャネル指定信号で示すチャネルにより通信を開始する前記第１２のステップと、
を含んで構成されている。
【００１２】
本発明の移動局は、同じグループＩＤを有する移動局同士でグループを作りこのグループ内の通信を優先して行うことを要求する優先グループ通信要求信号を回線制御装置と基地局とを介して他の移動局より受信し、通信可の応答信号を前記基地局と前記回線制御装置とを介して前記他の移動局に送信してこの他の移動局と優先グループ通信を行う移動局であって、
前記移動局の属するグループを識別する前記グループＩＤを予め格納する情報記憶部と、
自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部と、
前記グループＩＤを含む前記優先グループ通信要求信号を前記他の移動局より受信して出力し、前記通信可の前記応答信号を受けて前記他の移動局にこの通信可の応答信号を送信する送受信部と、
前記送受信部が出力した前記優先グループ通信要求信号を受けこの信号に含まれる前記グループＩＤが前記情報記憶部に格納されている場合、前記状態記憶部に格納されている前記移動局の状態が優先グループ通信でない通常の通信中を示すときにはこの通信中の呼を切断し、前記移動局の状態が優先グループ通信でない通常の通信の予約中を示すときにはこの予約を解除して、前記他の移動局と通信が可能であることを示す前記通信可の前記応答信号を前記送受信部に出力する制御部と、
を備えて構成されている。
【００１３】
また、本発明の移動局は、前記制御部は、前記状態記憶部に格納されている状態が前記通信中でも前記予約中でもないときに前記通信可の前記応答信号を前記送受信部に出力するようにし前記状態記憶部に格納されている状態が優先グループ通信中であるときに前記優先グループ通信中を示す前記応答信号を前記送受信部に出力するようにし、前記状態記憶部に格納されている状態が優先グループ通信の予約中であるときに前記優先グループ通信の予約中を示す前記応答信号を前記送受信部に出力するようにし、
前記送受信部は、前記制御部より、前記通信可の前記応答信号を受けたときには前記他の移動局にこの通信可の応答信号を送信し、前記優先グループ通信中を示す前記応答信号を受けたときには前記他の移動局にこの優先グループ通信中を示す応答信号を送信し、前記優先グループ通信の予約中を示す前記応答信号を受けたときには前記他の移動局にこの優先グループ通信通信の予約中を示す応答信号を送信するようにしている。
【００１４】
【発明の実施の形態】
次に、本発明の実施の形態について図面を参照して説明する。
【００１５】
図１は、本発明のグループ通信接続システムの一つの実施の形態を示すブロック図である。
【００１６】
図１に示す本実施の形態は、第１の移動局１と、この第１の移動局１を自分のゾーンに有する第１の基地局２と、第２の移動局５と、この第２の移動局５を自分のゾーンに有する第２の基地局４と、第１の基地局２と第２の基地局４とを制御する回線制御装置３とにより構成する。
【００１７】
第１の移動局１は、グループＩＤで示すグループ内の移動局との通信を優先して行うことを要求する優先グループ通信要求信号を発信しこの発信に対応して通信可の応答信号を受け、この応答信号を発信した移動局と通信する。この優先グループ通信要求信号は第１の移動局１が属するグループのグループＩＤを含んでいる。
【００１８】
第１の基地局２は、第１の移動局１が発信した優先グループ通信要求信号を受けて回線制御装置３に出力しこの出力に対応して回線制御装置３より通信可の応答信号を受け、この応答信号を第１の移動局１に出力する。
【００１９】
回線制御装置３は、第１の基地局２が出力した優先グループ通信要求信号を受け、自分のゾーン内に優先グループ通信要求信号に含まれるグループＩＤを備える移動局を有する第２の基地局４に対して優先グループ通信要求信号を出力し、この出力に対応して通信可の応答信号を受け、この応答信号を第１の基地局２に出力する。
【００２０】
第２の基地局４は、回線制御装置３が出力した優先グループ通信要求信号を受け、自分のゾーン内に有する移動局にこの優先グループ通信要求信号を出力し、この出力に対応して通信可の応答信号を受け、この応答信号を回線制御装置３に出力する。
【００２１】
第２の移動局５は、第２の基地局４が出力した優先グループ通信要求信号を受け、この優先グループ通信要求信号に含まれるグループＩＤが自移動局の備えるグループＩＤであるときに、自移動局が優先グループ通信でない通常の通信中のときにはこの通信中の呼を切断し、自移動局が優先グループ通信でない通常の通信の予約中のときにはこの予約を解除して、通信可の応答信号を第２の基地局４に出力し、第１の移動局１と通信する。
【００２２】
この構成により、同じグループＩＤを有する移動局同士でグループを作りこのグループ内の通信を優先して行うようにしている。
【００２３】
図１には、第１の移動局１から第４の移動局７の４つの移動局を記載しており、第１の移動局１が優先グループ通信要求信号を発信し、第２の移動局５から第４の移動局７の各移動局がこの優先グループ通信要求信号を受けたときの様子を示している。
【００２４】
このときの各移動局の状態を説明すると、第１の移動局１は、グループＡの優先グループ通信の発呼を行っている状態であり、個別ＩＤは個別Ａ、グループＩＤはグループＡである。
【００２５】
第２の移動局５から第４の移動局７は、第２の基地局４のゾーン内に位置し、第２の移動局５は、第３の移動局６と優先グループ通信でない通常の通信中の状態であり、個別ＩＤは個別Ｃ、グループＩＤはグループＡである。
【００２６】
第３の移動局６は、第２の移動局５と優先グループ通信でない通常の通信中の状態であり、個別ＩＤは個別Ｄ、グループＩＤはグループＢである。
【００２７】
第４の移動局７は、グループＢの優先グループ通信の予約中の状態であり、個別ＩＤは個別Ｂ、グループＩＤはグループＡとグループＢである。
【００２８】
移動局の数は、図１に示す第１の移動局１から第４の移動局７に限らず、この数より少なくても多くても良い。
【００２９】
次に、本実施の形態のグループ通信接続システムの動作を図２，図３及び図４を参照して詳細に説明する。
【００３０】
図２は、本発明の実施の形態の動作の一例を示し、本発明のグループ通信接続方法の一例を示すシーケンス図である。
【００３１】
図３は、移動局の構成の一例を示す示す図であり、移動局は、自移動局の属するグループを識別するグループＩＤをと、自移動局を識別するＩＤ（個別ＩＤ）を予め格納する情報記憶部１０と、自移動局が通信中であるか否かということと、通信中であるときにこの通信が優先グループ通信か否かということを格納するとともに、自移動局が通信の予約中であるか否かということと、予約中であるときにこの予約が優先グループ通信の予約か否かということを格納する状態記憶部１１と、優先グループ通信要求信号を受信して制御部９に出力し、通信可の応答信号を受けてこの通信可の応答信号を送信する送受信部８と、  送受信部８が出力した優先グループ通信要求信号を受けこの信号に含まれるグループＩＤが情報記憶部１０に格納されている場合、状態記憶部１１に格納されている移動局の状態が優先グループ通信でない通常の通信中を示すときにはこの通信中の呼を切断し、移動局の状態が優先グループ通信でない通常の通信の予約中を示すときにはこの予約を解除して、通信可の応答信号を送受信部８に出力する制御部９とにより構成する。
【００３２】
図４は、優先グループ通信要求信号を受けた移動局の動作の一例を示すフローチャートである。
【００３３】
図１において、図２のステップ２１では、第１の移動局１は優先グループ通信を希望するときに、この移動局が属するグループのグループＩＤを含む優先グループ通信要求信号を発信し、第１の基地局２により、この優先グループ通信要求信号を受けて回線制御装置３に出力する。
【００３４】
図２のステップ２２では、回線制御装置３により、第１の基地局２が出力した優先グループ通信要求信号を受け、この優先グループ通信要求信号に含まれるグループＩＤを取り出し、自基地局のゾーン内にこのグループＩＤを備える移動局を有する基地局をさがし、この基地局（第２の基地局４）に対して優先グループ通信要求信号を出力し、第２の基地局４により、回線制御装置３が出力した優先グループ通信要求信号を受け、自分のゾーン内に有する移動局にこの優先グループ通信要求信号を出力する。
【００３５】
図２のステップ２３では、第２の基地局４のゾーンに位置する移動局はそれぞれの状態によって異なる動作をする。この動作を図４のフローチャートを使用して説明する。
【００３６】
図４のステップ４１では、移動局は、送受信部８により第２の基地局４が出力した優先グループ通信要求信号を受け、制御部９によりこの優先グループ通信要求信号に含まれるグループＩＤを取り出すとともに、情報記憶部１０から予め格納してあるグループＩＤを読み込む。
【００３７】
図４のステップ４２では、制御部９は、優先グループ通信要求信号に含まれるグループＩＤと情報記憶部１０から読み込んだグループＩＤとが一致するか否かを調べ、一致するときにはステップ４４へ続ける。グループＩＤが一致しないときにはステップ４３へ続ける。
【００３８】
図４のステップ４３では、制御部９は、優先グループ通信要求信号を無効データとして破棄し終了する。
【００３９】
図４のステップ４４では、制御部９は、状態記憶部１１より移動局の状態を読み込み、移動局が通信中であるか否かを調べ、通信中でないときにステップ４８へ続け、通信中のときにはステップ４５へ続ける。
【００４０】
図４のステップ４５では、制御部９は、状態記憶部１１より移動局の状態を読み込み、移動局が優先グループ通信でない通常の通信中であるか否かを調べ、通常の通信中でないときにステップ４７へ続け、通常の通信中のときにはステップ４６へ続ける。
【００４１】
図４のステップ４６では、制御部９は、通話中の呼を切断し通信可の応答信号を送受信部８を介して送信し終了する。
【００４２】
図４のステップ４７では、制御部９は、優先グループ通信中の応答信号を送受信部８を介して送信し終了する。
【００４３】
図４のステップ４８では、制御部９は、状態記憶部１１より移動局の状態を読み込み、移動局が予約中であるか否かを調べ、予約中でないときにステップ４９へ続け、予約中のときにはステップ５０へ続ける。
【００４４】
図４のステップ４９では、制御部９は、自局グループＩＤ一致かつ待ち受け状態として、通信可の応答信号を送受信部８を介して送信し終了する。
【００４５】
図４のステップ５０では、制御部９は、状態記憶部１１より移動局の状態を読み込み、移動局が優先グループ通信でない通常の通信の予約中であるか否かを調べ、通常の予約中でない（優先グループ通信の予約中）ときにステップ５２へ続け、通常の予約中のときにはステップ５１へ続ける。
【００４６】
図４のステップ５１では、制御部９は、予約中のこの通常の予約を解除し通信可の応答信号を送受信部８を介して送信し終了する。
【００４７】
図４のステップ５２では、制御部９は、優先グループ通信の予約中の応答信号を送受信部８を介して送信し終了する。
【００４８】
次に、図２のシーケンス図に戻り、図２のステップ２３で行った図４のステップ４６、ステップ４７、ステップ４９、ステップ５１、ステップ５２のそれぞれのステップに続ける。
【００４９】
図４のステップ４６、ステップ４９、ステップ５１に続けて、図２のステップ２４では、第２の基地局４により、通信可の応答信号を受けこの通信可の応答信号を回線制御装置３に出力する。
【００５０】
図２のステップ２５では、回線制御装置３により、通信可の応答信号を第２の基地局４より受け、この通信可の応答信号を第１の基地局２に出力し、第１の基地局２により、通信可の応答信号を回線制御装置３より受け、この通信可の応答信号を第１の移動局１に出力する。
【００５１】
図２のステップ２６では、回線制御装置３により、ステップ２５で通信可の応答信号を出力した後に、優先グループ通信を行うチャネルを指定する優先グループ通信チャネル指定信号を第１の基地局２を介して第１の移動局１に出力するとともに、この優先グループ通信チャネル指定信号を第２の基地局４を介して回線制御装置３に通信可の応答信号を出力した移動局（第２の移動局５）に出力する。
【００５２】
図２のステップ２７では、第１の移動局１により、ステップ２１での優先グループ通信要求信号の発信に対応して通信可の応答信号を受け、受けた後に優先グループ通信チャネル指定信号を第１の基地局２を介して回線制御装置３より受け、第２の移動局５により、通信可の応答信号を第２の基地局４に出力した後に、優先グループ通信チャネル指定信号を第２の基地局４を介して回線制御装置３より受け、第１の移動局１と第２の移動局５との間で優先グループ通信チャネル指定信号で示すチャネルにより優先グループ通信を開始する。
【００５３】
図４のステップ５２に続けて、図２のステップ２８では、第２の基地局４により、優先グループ通信予約中の応答信号を受けこの応答信号を回線制御装置３に出力する。
【００５４】
図２のステップ２９では、回線制御装置３により、優先グループ通信予約中の応答信号を第２の基地局４より受け、この応答信号を第１の基地局２に出力し、第１の基地局２により、優先グループ通信予約中の応答信号を回線制御装置３より受け、この応答信号を第１の移動局１に出力する。第１の移動局１はこの応答信号を受けることにより第２の移動局５が優先グループ通信予約中であることがわかる。
【００５５】
図４のステップ４７に続けて、図２のステップ３０では、第２の基地局４により、優先グループ通信中の応答信号を受けこの応答信号を回線制御装置３に出力する。
【００５６】
図２のステップ３１では、回線制御装置３により、優先グループ通信中の応答信号を第２の基地局４より受け、この応答信号を第１の基地局２に出力し、第１の基地局２により、優先グループ通信中の応答信号を回線制御装置３より受け、この応答信号を第１の移動局１に出力する。第１の移動局１はこの応答信号を受けることにより第２の移動局５が優先グループ通信中であることがわかる。
【００５７】
【発明の効果】
以上説明したように、本発明によれば、第１の移動局により、優先グループ通信要求信号（要求信号）を発信し、回線制御装置により、第１の基地局を介して要求信号を受け、この信号をこの信号に含まれるグループＩＤを備える移動局を有する第２の基地局に出力し、第２の移動局により、第２の基地局を介して要求信号を受け、この信号内のグループＩＤが自局のグループＩＤのときに自局が優先グループ通信でない通常の通信中のときにはこの通信中の呼を切断し、自局が通常の通信の予約中のときにはこの予約を解除して、通信可の応答信号を第２の基地局を介して回線制御装置に出力し、回線制御装置により、通信可の応答信号を受け、第１の基地局を介して第１の移動局に出力し、第１の移動局によりこの応答信号を受け、第１の移動局と第２の移動局との間で通信を開始するため、第２の移動局が、接続要求のグループＩＤと自局のグループＩＤの一致を判定して通信中の呼を切断したり予約を解除したりして優先グループ通信可能を示す応答信号を出力し、接続要求元の第１の移動局との間で優先グループ通信を開始するので、回線制御装置が移動機識別番号を基に移動機の種別等の管理を行い移動機の制御をする必要がなく、回線制御装置の記憶部が大規模にならない。
【図面の簡単な説明】
【図１】本発明のグループ通信接続システムの一つの実施の形態を示すブロック図である。
【図２】本発明の実施の形態の動作の一例を示し、本発明のグループ通信接続方法の一例を示すシーケンス図である。
【図３】移動局の構成の一例を示す示す図である。
【図４】優先グループ通信要求信号を受けた移動局の動作の一例を示すフローチャートである。
【符号の説明】
１    第１の移動局
２    第１の基地局
３    回線制御装置
４    第２の基地局
５    第２の移動局
６    第３の移動局
７    第４の移動局
８    送受信部
９    制御部
１０    情報記憶部
１１    状態記憶部
【図１】
2005006148.tif 000003
【図２】
2005006148.tif 000004
【図３】
2005006148.tif 000005
【図４】
2005006148.tif 000006